(57)【要約】【課題】着用中のずり上がりを低減することができ、かつ、肌触りに優れたワイヤレスカップ付き衣料を提供する。【解決手段】バストを覆うためのカップ部を有する衣料において、摩擦係数が０．２６μ以上０．３０μ未満且つ表面粗さが２．５μｍ以下の生地が、カップ部内側に配置され前記生地の面積がカップ部内側の面積に対して２０％以上、８０％未満で、前記生地が単糸繊度０．１０dtex以上０．５０dtex未満の極細繊維からなるワイヤレスカップ付き衣料。【選択図】図１
2017025420.tif 000002
【特許請求の範囲】
【請求項１】
バストを覆うためのカップ部を有する衣料において、摩擦係数が０．２６μ以上０．３０μ未満且つ表面粗さが２．５μｍ以下の生地が、カップ部内側に配置され前記生地の面積がカップ部内側の面積に対して２０％以上、８０％未満で、前記生地が単糸繊度０．１０dtex以上０．５０dtex未満の極細繊維からなるワイヤレスカップ付き衣料。
【請求項２】
前記生地がカップ部の頂点より下側に配置される請求項１に記載のワイヤレスカップ付き衣料。
【請求項３】
前記生地の、目付けが１００ｇ／ｍ２以上１５０ｇ／ｍ２未満である請求項１又は２に記載のワイヤレスカップ付き衣料。
【請求項４】
前記生地が、天竺編みである請求項１から３のいずれかに記載のワイヤレスカップ付き衣料。
【発明の詳細な説明】
【技術分野】
【０００１】
本発明は、女性の身体の動きに追随することができ、かつ着用快適性に優れたワイヤレスカップ付き衣料に関するものである。
【背景技術】
【０００２】
従来、カップ付き衣料は、着用時にカップ部１が上下左右ズレ、バスト下部がはみ出したり、はみ出すのが嫌でワイヤー付きのブラジャーを着用するとバスト下部が締め付けられ、着用快適性に劣るという課題があった。
【０００３】
このような課題を解消するため、肌に接する面の一部に他の部分よりも滑り難い難滑域を設けることが提案されている（特許文献１）。
【０００４】
しかしながら、特許文献１では、難滑域で使用される難滑素材が塩化ビニルなどの樹脂であるため、着用時に触れる個所が擦れて痛いなど違和感が出てしまう。
【０００５】
また、吸湿性、柔軟性などの機能を賦与するために、カップ内側に極細繊維を使用したカップ付き衣料が提案されている（特許文献２、３）。
【０００６】
しかしながら、特許文献２、３ではカップ内側全体に極細繊維を使用するため、滑り難さが強くなりすぎる。
【先行技術文献】
【特許文献】
【０００７】
【特許文献１】特開２００１−３１６９１０
【特許文献２】実開昭５８−１８０２０８
【特許文献３】ＣＮ２０４１０４８６３Ｕ
【発明の概要】
【発明が解決しようとする課題】
【０００８】
本発明の課題は、着用中のずり上がりを低減することができ、かつ、肌触りに優れたワイヤレスカップ付き衣料を提供することにある。
【課題を解決するための手段】
【０００９】
本発明は、上記課題を解決するものである。即ち、バストを覆うためのカップ部を有する衣類において、カップ部内側に摩擦係数が０．２６μ以上０．３０μ未満、且つ表面粗さが２．５μｍ以下の極細繊維からなる生地が配置されて、当該生地の面積がカップ内側の生地に対して、２０％以上８０％未満で設けられ、当該生地が単糸繊度０．１dtex以上０．５dtex未満の極細繊維からなるワイヤレスカップ付き衣料である。
【発明の効果】
【００１０】
本発明によれば、着用時に女性のバストの動きにカップが追随でき、運動時のバストのズレを防止するという効果があり、そして擦れ痛みや皮膚への刺激などもなく肌触りに優れるワイヤレスカップ付き衣料を提供することができる。
【図面の簡単な説明】
【００１１】
【図１】本発明のワイヤレスカップ付き衣料の一態様を示す正面図である。
【図２】実施例における三次元計測の評価を示すための図面代用写真である。
【発明を実施するための形態】
【００１２】
本発明のワイヤレスカップ付き衣料は、バストを覆うためのカップ部を有する衣料において、摩擦係数が０．２６μ以上０．３０μ未満且つ表面粗さが２．０μｍ以上２．５μｍ未満の極細繊維生地が、カップ部内側に配置され前記生地の面積がカップ部内側の面積に対して２０％以上、８０％未満で設けられ、当該生地が単糸繊度０．１０dtex以上０．５０dtex未満の極細繊維からなる。この極細繊維はポリエステルやナイロンなどの合成繊維であることが好ましい。
【００１３】
本発明でいうワイヤレスカップ付き衣料とは、ブラジャー、ブラトップ、カップ付きキャミソールなどをいう。
次に、本発明のワイヤレスカップ付き衣料の実施形態（ブラジャー）について、図面を参照しながら具体的に説明する。
具体的には、本発明のワイヤレスカップ付き衣料には、図１に示されるように、バストを覆う形状の左右一対のカップ部１の内側に極細繊維を用いた生地からなるズレ防止部２が設けられる。カップ内側上部３の生地はズレ防止部２と同様の素材であることが好ましく、繊維繊度は２dtex程度等、通常の繊度のものが用いられることが好ましい。
ズレ防止部２の摩擦係数は０．２６μ以上０．３０μ未満である。好ましくは、摩擦係数が０．２７μ以上０．３０μ未満である。生地の摩擦係数が０．２６μ未満の場合、生地の摩擦抵抗が低いため抵抗によるズレ防止が出来ず、ズレを抑制出来ない。また、摩擦係数が０．３０μ以上の場合は、摩擦抵抗が高くなりすぎ、着用中肌が擦れて痛みを伴う。
【００１４】
ズレ防止部２の生地の表面粗さは２．５μｍ以下である。好ましくは２．０μｍ以上２．４μｍ以下である。表面粗さが２．５μｍを超える場合には、生地の表面の凹凸により摩擦抵抗が得られにくく、また、凹凸により着用時に肌が擦れる。表面粗さを押さえるためには、繊維を細くしたり、編み組織を天竺編みにすることにより表面粗さが少ない生地が出来る。  
【００１５】
ズレ防止部２の生地の面積はカップ部内側の面積に対して２０％以上８０％未満であることが好ましい。より好ましくは、３０％以上％６０％未満である。ズレ防止部２の生地面積が２０％未満の場合では摩擦抵抗によるズレ防止部分が小さすぎるため、ズレの抑制が出来ない。また、ズレ防止部２の生地面積が８０％以上の場合は、摩擦抵抗の高い部分が多いため、乳房全体が固定されてしまい肌が擦れて痛みを伴う。
【００１６】
ズレ防止部２の生地に用いられる極細繊維の単糸繊度は０．１０dtex以上、０．５０dtex未満である。好ましくは、０．２０dtex以上、０．５０dtex未満である。単糸繊度が０．１０dtex未満の場合には生地の凹凸が少なくなり摩擦係数が高くなりやすいため、肌が擦れて痛みを伴う。また、単糸繊度が０．５０dtex以上である場合には、生地の表面凹凸が大きくなるため、摩擦抵抗が得られず、着用時のカップのズレを防ぐことが出来ない。
ズレ防止部の生地は運動時に乳房の動きを支え、ズレを防止する為にもカップ部の頂点より下側に配置されることが好ましい。
【００１７】
ズレ防止部２の生地の目付けは１００ｇ／ｍ２以上１５０ｇ／ｍ２未満であることが好ましい。より好ましくは、１１０ｇ／ｍ２以上１４０ｇ／ｍ２以下である。生地の目付けが１００ｇ／ｍ２未満の場合生地が薄く十分な生地の硬さを得られないため、バストの脇から下部の固定が不十分となる場合がある。また、生地目付けが１５０ｇ／ｍ２以上の場合には、生地が重く硬くなり、着用後の動きに追従しにくくズレ防止につながらない場合がある。
【００１８】
ズレ防止部２の素材が塩化ビニル樹脂やアクリル樹脂などの難滑樹脂の場合は、着用時に触れる個所が擦れて痛いなど違和感が出てしまうため、極細繊維が好ましい。また、極細繊維からなる生地は、編物、織物、不織布のいずれでも良いが、伸び易く目付が重くなりにくい編物が好ましい。編物の中でも、タックやミスを用いた編み組織の場合には、タックやミスの部分で凹凸ができ、縦編みの場合には、生地の目付が重く硬くなりやすい傾向があるから、凹凸が少なく目付が軽く出来る編み組織である天竺編みが好ましい。  
【実施例】
【００１９】
次に、本発明のワイヤレスカップ付き衣料について、実施例を挙げてさらに具体的に説明するが、本発明はこれらに限定されるものではない。実施例における品質評価は、次の方法で実施した。
（測定方法）
（１）着用ズレ
(株)サン・エンジニアリング社製の三次元計測器で写した画像を元に、静止時と腕を上下運動した時の左右の脇下基準位置からバストトップの位置、およびバスト周長を測定し、静止時と運動後の位置のズレ量を算出した。バストトップの位置の測定は、右胸は、図２の符号６と７の間の長さを測定し、左胸は図２の符号８と９の間の長さを測定した。バスト周長の測定は、図２の符号６、８を経て背中まで1周した長さを測定した。
【００２０】
（２）摩擦係数
カトーテック(株)の摩擦係数測定器（ＦＢ−４）を用い生地の表面の摩擦係数（μ）を同一生地内で３カ所場所を変えて測定し平均値を算出した。
【００２１】
（３）表面粗さ
カトーテック(株)の摩擦係数測定器（ＦＢ−４）を用い生地の表面の表面粗さ（μｍ）を同一生地内で３カ所場所を変えて測定し平均値を算出した。
【００２２】
（４）着用試験
出来上がったブラジャーをモニターに着用させ、腕の上げ下げなどの運動をした時のズレ感と皮膚刺激について評価を実施した。以下の評価基準に従い評価したモニターは、年齢が３０代から５０代の女性５名である。着用した結果の平均点と各評価点数の合計点数を総合評価とし、総合評価が大きいものほど優れていることを示す。
＜右胸位置６−７のズレ量  ｃｍ＞
３：０以上〜０．３未満
２：０．３以上〜０．５未満
１：０．５以上
＜左胸位置８−９のズレ量  ｃｍ＞
３：０以上〜０．３未満
２：０．３以上〜０．５未満
１：０．５以上
＜摩擦係数  μ＞
３：０．２６以上〜０．３０未満
２：０．２３以上〜０．２６未満、又は０．３０以上〜０．３２未満
１：０．２３未満又は０．３２以上
＜表面粗さ  μｍ＞
３：２．５以下
２：２．６以上〜３．５以下
１：３．６以上
＜着用ズレ感官能評価＞
３：ズレ感無し
２：ややズレ感あり
１：ズレ感あり
＜着用刺激感官能評価＞
３：刺激感無し、違和感なし
２：刺激感無し、違和感あり
１：刺激感あり、違和感あり
（実施例１）
ポリエステル１００％で単糸繊度が０.２２dtexの極細繊維を用い、２８ゲージで編成し、ウエル３６．４本／２．５４cm、コース７０本／２．５４cm、目付けが１２０ｇ／ｍ２の天竺編み生地をズレ防止部２としてカップ部の頂点より下側に縫着し、一対のカップ部１、バック布４及びストラップ５を備えているブラジャーを作成した。この場合、前記生地の面積はカップ部内側（ズレ防止部の生地とカップ内側の上部３の生地からなる）の面積に対して５５％で、摩擦係数は０．２９μで、表面粗さは２．３５μｍであった。
このようにして作られたブラジャーの着用試験を行い、３次元測定器でバストトップ位置ズレとバストの周長を測定した。着用試験の結果を表１に示す。運動をしてもカップがズレ難く元の形を保ったままで着用時のズレ感もなく肌への刺激も感じられないことが分かった。
（実施例２）
天竺編地がカップ部内側の面積に対して３０％の割合で設けられる以外は、実施例１と同様にしてブラジャーを作成した。
【００２３】
このようにして作られたブラジャーの着用試験を行い、３次元測定器でバストトップ位置ズレとバストの周長を測定した。着用試験の結果を表１に示す。運動をしてもカップがズレ難く元の形を保ったままで着用時のズレ感もなく肌への刺激も感じられないことが分かった。
（実施例３）
単糸繊度が０．２５dtexの天竺編地をズレ防止部２とする以外は、実施例１と同様にしてブラジャーを作成した。この場合、摩擦係数は０．２７μで、表面粗さは２．６μｍであった。
【００２４】
このようにして作られたブラジャーの着用試験を行い、３次元測定器でバストトップ位置ズレと、バストの周長を測定した。着用試験の結果を表１に示す。運動をしてもカップがズレ難く元の形を保ったままで着用時のズレ感もなく肌への刺激も感じられないことが分かった。
（実施例４）
天竺編地の目付けが９０ｇ／ｍ２である以外は、実施例１と同様にしてブラジャーを作成した。
【００２５】
このようにして作られたブラジャーの着用試験を行い、３次元測定器でバストトップ位置ズレと、バストの周長を測定した。着用試験の結果を表１に示す。実施例１、２、３に比べ、運動をしたとき左右の胸にズレが若干発生したが、着用時のズレ感や、肌への刺激が強く感じられることは無かった。
（比較例１）
単糸繊維度が０．０６dtexの天竺編地をズレ防止部２とする以外に、実施例１と同じでブラジャーを作成した。この場合、摩擦係数は０．８０μで、表面粗さは２．４μｍであった。
【００２６】
このようにして作られたブラジャーの着用試験を行い、３次元測定器でバストトップ位置ズレと、バストの周長を測定した。着用試験の結果を表１に示す。運動をしてもカップがズレ難く元の形を保ったままであるが、実施例１、２、３に比べ、肌への刺激が強く感じられ着用しにくいことが分かった。
（比較例２）
単糸繊維度が２．００dtexの天竺編地をズレ防止部２とする以外に、実施例１と同じでブラジャーを作成した。摩擦係数は０．２５μ、表面粗さは５．０μｍであった。
【００２７】
このようにして作られたブラジャーの着用試験を行い、３次元測定器でバストトップ位置ズレと、バストの周長を測定した。着用試験の結果を表１に示す。実施例１、２、３に比べ、運動をしたとき左右の胸にズレが発生した。また、着用時のズレ感や、肌への刺激が強く感じられることが分かった。
（比較例３）
天竺編地はカップ部内側の面積に対して１００％である以外に、実施例１と同じでブラジャーを作成した。
【００２８】
このようにして作られたブラジャーの着用試験を行い、３次元測定器でバストトップ位置ズレと、バストの周長を測定した。着用試験の結果を表１に示す。実施例１、２、３に比べ、着用時のズレ感や、肌への刺激が強く感じられることが分かった。
【００２９】
【表１】
2017025420.tif 000003
【符号の説明】
【００３０】
１  ：カップ部
２  ：ズレ防止部
３  ：カップ内側上部
４  ：バック布
５  ：ストラップ
６  ：バストトップの位置
７  ：右脇下基準位置
８  ：バストトップの位置
９  ：左脇下基準位置
１０：カップ部の頂点
【図１】
2017025420.tif 000004
【図２】
2017025420.tif 000005